(57)【要約】【課題】ストレッチフィルムのロール体の脱落を防ぎ、且つ、容易に操作可能なストレッチフィルム巻き掛け操作具を提供する。【解決手段】筒状となるストレッチフィルムを支持するためにストレッチフィルムの中空部分に挿入されるストレッチフィルム巻き掛け操作具であって、使用者がストレッチフィルムを支持する際に、使用者が握る部分であって手掌に収納できる外形寸法を有する把持部と、把持部から突出して形成されストレッチフィルムの中空部分に挿入されてストレッチフィルムを固定する挿入部を備え、挿入部は、ストレッチフィルムの中空部分に挿入する向きを軸方向正の向きとすると、先端における軸方向と垂直な断面が複数の部分に分割されて、径方向内側向きに弾性変形可能な先割れ構造であり、挿入部の外周面には径方向に突出して円周方向に環状をなす突起部を少なくとも一つ有することを特徴とするストレッチフィルム巻き掛け操作具を提供する。【選択図】図１
0003206955.tif 000002
【実用新案登録請求の範囲】
【請求項１】
筒状となるストレッチフィルムを支持するために、前記ストレッチフィルムの中空部分に挿入されるストレッチフィルム巻き掛け操作具であって、
使用者が前記ストレッチフィルムを支持する際に、使用者が握る部分であって、手掌に収納できる外形寸法を有する把持部と、
前記把持部から突出して形成され、前記ストレッチフィルムの中空部分に挿入されてストレッチフィルムを固定する挿入部を備え、
前記挿入部は、前記ストレッチフィルムの中空部分に挿入する向きを、軸方向正の向きとすると、前記軸方向正の向きの先端における軸方向と垂直な断面が複数の部分に分割されて、径方向内側向きに弾性変形可能な先割れ構造であり、
前記挿入部の前記外周面には、径方向に突出して円周方向に環状をなす突起部を少なくとも一つ有することを特徴とするストレッチフィルム巻き掛け操作具。
【請求項２】
前記把持部は、軸方向に延び且つ手指が少なくとも１本入る程度の内径をもつ凹部を有しており、前記凹部の内側における軸方向負の向きの開口縁の稜部分には、軸方向負の向きに進むにつれて径方向外側に拡がる傾斜面が設けられていることを特徴とする請求項１に記載のストレッチフィルム巻き掛け操作具。
【請求項３】
前記挿入部は中空になっており、前記凹部は、挿入部の内周まで段差無く連続することを特徴とする請求項１または請求項２に記載のストレッチフィルム巻き掛け操作具。
【請求項４】
前記挿入部は、軸方向正の向きを基準とした外周面の勾配が互いに異なる複数の区画を、軸方向に並んで有し、前記複数の区画のうち、前記挿入部の先端を含む区画の前記勾配は、他の区画の前記勾配よりも小さいことを特徴とする請求項１から請求項３のうちのいずれか一項に記載のストレッチフィルム巻き掛け操作具。
【請求項５】
前記挿入部の前記複数の区画のうち少なくとも一つの区画は、前記外周面と軸方向正の向きの間の勾配が正であり、前記先割れ構造を径方向内側に押圧することで、前記挿入部の外径を前記ストレッチフィルムの中空部分の内径よりも小さくすることが可能であり、
且つ、
前記先割れ構造に対する径方向内側への力を解放すると、前記挿入部の外径が前記ストレッチフィルムの中空部分の内径より大きくなろうとすることで、前記挿入部を、前記ストレッチフィルム中空部分に挿入する際、挿入部の前記外周面が前記ストレッチフィルム中空部分の内周面を径方向外向きに押す
ことを特徴とする請求項４に記載のストレッチフィルム巻き掛け操作具。
【請求項６】
前記挿入部の先端を含む区画の外周面と軸方向正の向きの間の勾配がゼロ度であることを特徴とする請求項４または請求項５に記載のストレッチフィルム巻き掛け操作具。
【請求項７】
前記挿入部の先端を含む区画の軸方向の長さが１ｍｍ以上、且つ、２ｃｍ以下であることを特徴とする請求項４から請求項６のうちのいずれか一項に記載のストレッチフィルム巻き掛け操作具。
【請求項８】
前記挿入部の肉厚は、略２ｍｍであることを特徴とした請求項１から請求項７のうちのいずれか一項に記載のストレッチフィルム巻き掛け操作具。
【考案の詳細な説明】
【技術分野】
【０００１】
本考案は、本考案は、被包装物に用いる合成樹脂フィルムを手巻き用途で用いるストレッチフィルム巻き掛け操作具に関する。
【背景技術】
【０００２】
従来から、ストレッチフィルムを手巻き包装するためのストレッチフィルム巻き掛け操作具は数多く開示され、且つ、市販やストレッチフィルムの販売促進用品として提供されている（例えば、特許文献１（段落（０００５）〜（０００７））。ストレッチフィルムによる被梱包材の固定は、ストレッチフィルムのロール体Ｒの両端を両手で掴み、フィルムをほぼ鉛直方向に立てた状態で被梱包材の周りにフィルムを巻きつけることで行う。したがって、軽量、且つ、取り扱いが容易であるものが望ましい。加えてストレッチフィルム巻き掛け操作具から、ストレッチフィルムのロール体Ｒが外れて落下する事故が起こると、ストレッチフィルムＦが破損したり、床からの埃や汚水による汚染が生じたりする問題が生じるので、そのような事態を生じさせないようにする必要がある。
【０００３】
図７に従来のストレッチフィルム巻き掛け操作具１を示す。ストレッチフィルムのロール体Ｒの中心軸にある紙管Ｐの内周面に沿って、ストレッチフィルム巻き掛け操作具１は差し込まれる。このとき、ストレッチフィルム巻き掛け操作具１は、互いに回転自在な内筒１２０と外筒１３０から構成される。使用者は、手指を手掛け用長孔１４０に挿入してストレッチフィルムのロール体Ｒを操作する。
【先行技術文献】
【特許文献】
【０００４】
【特許文献１】特開平０８−１１９２４２号公報
【非特許文献】
【０００５】
【非特許文献１】独立行政法人  産業技術総合研究所、［online］、ＡＩＳＴ日本人の手の寸法データ＞統計量、［平成２８年７月２２日検索］、インターネット（ＵＲＬ：https://www.dh.aist.go.jp/database/hand/data/list.html）
【考案の概要】
【考案が解決しようとする課題】
【０００６】
しかしながら、紙管Ｐの内径寸法と図７に示すストレッチフィルム巻き掛け操作具１における外筒１３０の寸法にはバラツキがあるため、ストレッチフィルム巻き掛け操作具１を紙管Ｐに挿入する際に、きつい場合と逆にゆるい場合があり、嵌合具合が一定しない。嵌合具合がきつい場合には、ストレッチフィルム巻き掛け操作具１を紙管Ｐに装着するのが困難で装着性が悪くなる。またストレッチフィルム巻き掛け操作具１を中心にして、紙管Ｐを回転させて使用したいときに回転しにくく、回転したとしても紙管Ｐが削られてしまい塵埃の発生を招く。逆に嵌合具合がゆるい場合には、巻き掛け作業中にストレッチフィルム巻き掛け操作具１が紙管Ｐから脱落してストレッチフィルムのロール体Ｒが落下するなど作業性の低下を招く。
【０００７】
本考案は、斯かる実情に鑑み、ストレッチフィルムのロール体Ｒの脱落を防ぎ、且つ、容易に操作可能なストレッチフィルム巻き掛け操作具を提供しようとするものである。
【課題を解決するための手段】
【０００８】
（１）本考案は、筒状となるストレッチフィルムを支持するために、前記ストレッチフィルムの中空部分に挿入されるストレッチフィルム巻き掛け操作具であって、使用者が前記ストレッチフィルムを支持する際に、使用者が握る部分であって、手掌に収納できる外形寸法を有する把持部と、前記把持部から突出して形成され、前記ストレッチフィルムの中空部分に挿入されてストレッチフィルムを固定する挿入部を備え、前記挿入部は、前記ストレッチフィルムの中空部分に挿入する向きを、軸方向正の向きとすると、前記軸方向正の向きの先端における軸方向と垂直な断面が複数の部分に分割されて、径方向内側向きに弾性変形可能な先割れ構造であり、前記挿入部の前記外周面には、径方向に突出して円周方向に環状をなす突起部を少なくとも一つ有することを特徴とするストレッチフィルム巻き掛け操作具を提供する。
【０００９】
ストレッチフィルム巻き掛け操作具とストレッチフィルムのロール体の中空部分が、完全に固定されてしまうと、フィルムを繰り出す際に不便であり、逆にストレッチフィルム巻き掛け操作具が、ストレッチフィルムのロール体の中空部分から脱落しやすいと、前述のようにフィルム破損や汚染の原因になってしまう。上記（１）に記載する考案によれば、ストレッチフィルムの中空部分に挿入されてストレッチフィルムを固定する挿入部の先端が、径方向内側向きに弾性変形可能な先割れ構造であるため、挿入部２０に径方向内側への力を加えて先端の外径を小さくすることで、ストレッチフィルム巻き掛け操作具１をストレッチフィルムの中空部分に挿入することが容易になるという効果を奏する。
【００１０】
また、挿入部外周面に設けられた突起部分が主にストレッチフィルムのロール体の内周面に接する状態を実現することで、摩擦を減らし、フィルムを繰り出す際に自在にストレッチフィルムのロール体がストレッチフィルム巻き掛け操作具を軸として回転しやすくするという効果を奏する。また同時に、突起部分が、ストレッチフィルムの中空部分を構成する紙筒を若干押し込む、あるいは削ることで環状の溝を作り、そこに突起部分がはまり込むことで、ストレッチフィルム巻き掛け操作具が、ストレッチフィルムのロール体から脱落しにくくするという顕著な効果を奏する。
【００１１】
（２）本考案は、前記把持部が、軸方向に延び且つ手指が少なくとも１本入る程度の内径をもつ凹部を有しており、前記凹部の内側における軸方向負の向きの開口縁の稜部分には、軸方向負の向きに進むにつれて径方向外側に拡がる傾斜面が設けられていることを特徴とする上記（１）に記載のストレッチフィルム巻き掛け操作具を提供する。
【００１２】
ストレッチフィルムのロール体は、両端の中空部分に手指を入れて把持し、操作することが多い。ストレッチフィルム巻き掛け操作具に何ら工夫が無い場合、使用者の手指がロール対内周面の稜部と擦れ、怪我の原因となる。上記（２）に記載する考案によれば、把持部の内側における凹部の内側における軸方向負の向きの開口縁の稜部分に、軸方向負の向きに進むにつれて径方向外側に拡がる傾斜面を設けることで手指の擦れを防ぎ、操作性の向上という効果を奏する。
【００１３】
（３）本考案は、前記挿入部が中空になっており、前記凹部は、挿入部の内周まで段差無く連続することを特徴とする上記（１）または（２）に記載のストレッチフィルム巻き掛け操作具を提供する。
【００１４】
上記（３）に記載する考案によれば、挿入部が中空であるため軽量で扱いやすいという効果を奏する。また手指を差し込む凹部が、挿入部の内周まで段差無く連続するので摩擦等で手指を傷つける可能性が低下するという効果を奏する。
【００１５】
（４）本考案は、前記挿入部が、軸方向正の向きを基準とした外周面の勾配が互いに異なる複数の区画を、軸方向に並んで有し、前記複数の区画のうち、前記挿入部の先端を含む区画の前記勾配は、他の区画の前記勾配よりも小さいことを特徴とする上記（１）乃至（３）のうちのいずれかに記載のストレッチフィルム巻き掛け操作具を提供する。
【００１６】
上記（４）に記載する考案によれば、挿入部の先端を含む区画が、外周面と軸方向正の向きの間の勾配が、他の区画の外周面と軸方向正の向きの間の勾配よりも小さいので、ストレッチフィルムの中空部分に、挿入部分を差し込みやすいという効果を奏する。
【００１７】
（５）本考案は、前記挿入部の前記複数の区画のうち少なくとも一つの区画が、前記外周面と軸方向正の向きの間の勾配が正であり、前記先割れ構造を径方向内側に押圧することで、前記挿入部の外径を前記ストレッチフィルムの中空部分の内径よりも小さくすることが可能であり、且つ、前記先割れ構造に対する径方向内側への力を解放すると、前記挿入部の外径が前記ストレッチフィルムの中空部分の内径より大きくなろうとすることで、前記挿入部を、前記ストレッチフィルム中空部分に挿入する際、挿入部の前記外周面が前記ストレッチフィルム中空部分の内周面を径方向外向きに押すことを特徴とする上記（４）に記載のストレッチフィルム巻き掛け操作具を提供する。
【００１８】
上記（５）に記載する考案によれば、挿入部の複数の区画のうち少なくとも一つの区画は、前記外周面と軸方向正の向きの間の勾配が正であり、外径が、把持部側から先端に向けて拡がる構造を持っている。先割れ構造を径方向内側に押圧することで、前記挿入部の外径を前記ストレッチフィルムの中空部分の内径よりも小さくすることができるので、挿入部をストレッチフィルムの中空部分へ容易に挿入できる。また、先割れ構造に対する径方向内側への力を解放すると、挿入部の外径がストレッチフィルムの中空部分の内径より大きくなろうとすることで、挿入部を、前記ストレッチフィルム中空部分に挿入する際、挿入部の外周面がストレッチフィルム中空部分の内周面を径方向外向きに押すので、ストレッチフィルムの中空部分の内周面と、挿入部の外周面の間に摩擦力が生じて、ストレットフィルムがストレッチフィルム巻き掛け操作具から落下しにくくなるという効果を奏する。
【００１９】
（６）本考案は、前記挿入部の先端を含む区画の外周面と軸方向正の向きの間の勾配がゼロ度であることを特徴とする上記（４）または（５）に記載のストレッチフィルム巻き掛け操作具を提供する。
【００２０】
上記（６）に記載する考案によれば、先割れ構造を径方向内側に押圧した際に、先端部の外周面が軸となす角度が負になるため、挿入部を、ストレッチフィルムの中空部分に挿入する際に、容易に挿入できるという効果を奏する。
【００２１】
（７）本考案は、前記挿入部の先端を含む区画の軸方向の長さが１ｍｍ以上、且つ、２ｃｍ以下であることを特徴とする上記（１）乃至（６）のうちのいずれかに記載のストレッチフィルム巻き掛け操作具を提供する。
【００２２】
上記（７）に記載する考案によれば、ストレッチフィルムの中空部分に挿入する際に挿入し易い。また先端部の外周面が軸となす角度が、他の区画よりも小さく、ストレッチフィルムの中空部分を内側から押す力が小さな部分が広すぎないため、ストレッチフィルム巻き掛け操作具がストレッチフィルムの中空部分から外れにくいという効果を奏する。
【００２３】
（８）本考案は、前記挿入部の肉厚は、略２ｍｍであることを特徴とした上記（１）乃至（７）のうちのいずれかに記載のストレッチフィルム巻き掛け操作具を提供する。
【００２４】
上記（８）に記載する考案によれば、挿入部の外径を手指で縮めることで、挿入部を、ストレッチフィルムの中空部分に挿入することが容易であり、且つ、挿入部がストレッチフィルムの中空部内で径方向外側へ拡がることにより外れにくくなるストレッチフィルム巻き掛け操作具が実現できるという効果を奏する。
【考案の効果】
【００２５】
本考案の請求項１〜８記載のストレッチフィルム巻き掛け操作具によれば、ストレッチフィルムのロール体の中空部分に挿入しやすく、またストレッチフィルムのロール体から脱落しにくいストレッチフィルム巻き掛け操作具が実現され、操作性が向上するという極めて優れた効果を奏しえる。
【図面の簡単な説明】
【００２６】
【図１】（Ａ）本考案の第一実施形態に係るストレッチフィルム巻き掛け操作具の斜  視図である。（Ｂ）ストレッチフィルム巻き掛け操作具の断面図である。
【図２】（Ａ）ストレッチフィルム巻き掛け操作具の側面図である。（Ｂ）挿入部の  断面を一部拡大した拡大図である。（Ｃ）ストレッチフィルム巻き掛け操作具を、把持  部側から見た背面図である。
【図３】ストレッチフィルム巻き掛け操作具をストレッチフィルムのロール体の中空  部分に挿入する手順を説明する説明図である。
【図４】挿入部に設けられた突起部の作用を説明する説明図である。
【図５】本考案の第一実施形態に係るストレッチフィルム巻き掛け操作具の使用態様  を説明する説明図である。
【図６】（Ａ）本考案の第二実施形態に係るストレッチフィルム巻き掛け操作具の斜  視図である。（Ｂ）ストレッチフィルム巻き掛け操作具を挿入部の先端側から見た正面  図である。
【図７】従来のストレッチフィルム巻き掛け操作具の断面図である。
【考案を実施するための形態】
【００２７】
以下、本考案の実施の形態を添付図面を参照して説明する。図１〜図６は考案を実施する形態の一例であって、図中、同一の符号を付した部分は同一物を表わす。
【００２８】
図１（Ａ）は、本考案の第一実施形態に係るストレッチフィルム巻き掛け操作具１の斜視図を示す。ストレッチフィルム巻き掛け操作具１は、筒状となるストレッチフィルムＦのロール体Ｒを支持するために、ストレッチフィルムＦの中空部分に挿入されるストレッチフィルム巻き掛け操作具１である。そのため使用者がストレッチフィルムＦを支持する際に、使用者が握る部分であって、手掌に収納できる外形寸法を有する把持部１０と、把持部１０から突出して形成され、ストレッチフィルムＦの中空部分に挿入されてストレッチフィルムＦを固定する挿入部２０を備える。挿入部２０は、中空であり、把持部１０から突出した部分の長さが２０ｃｍ以下の筒状をなす。ストレッチフィルムのロール体Ｒは通常、長さ５０ｃｍ程度なので、ストレッチフィルム巻き掛け操作具１を、その両端からそれぞれ差し込んだ場合、互いが干渉しない程度の長さが望ましい。ストレッチフィルム巻き掛け操作具１の材質は、軽く、加工性が良く、耐摩耗性に優れた合成樹脂、すなわちポリエチレン、ポリエチレンテレフタレート、ＡＢＳ樹脂等であることが望ましい。
【００２９】
把持部１０は外周が例えば角丸長方形であり、長軸方向の長さは５０ｍｍ以上、且つ、１００ｍ以下であり、短軸方向の長さは２０ｍｍ以上、且つ、７５ｍｍ以下が好ましい。非特許文献１によれば、日本人の手の手幅、すなわち指と手掌を伸ばし、第二〜第五指をそろえ、親指を配点した状態での、第二中手骨頭の最も親指側に突出した点から第五中手骨頭の最も小指側に突出した点までの直線距離の平均は男女の平均で７９．８ｍｍであることから、掌内で把持部を支持するためには、把持部１０の長軸方向の長さは５０ｍｍ以上、且つ、１００ｍ以下が望ましいことがわかる。また上記データベースによれば、日本人の手の手掌長第三指、すなわち指と手掌をのばし、親指を外転し、他の４本の指をそろえた状態での、手首のしわの中央から中指付け根のしわまでを、手の長軸に平行に測った長さの平均は、１０２．１ｍｍであることから、把持部１０を手掌でつつむためには、把持部１０の短軸方向の長さは、２０ｍｍ以上、且つ、７５ｍｍ以下が望ましいことがわかる。
【００３０】
挿入部２０は、ストレッチフィルムＦの中空部分に挿入する向きを、軸方向正の向きと定義すると（図１（Ａ）直線矢印の向きを参照）、先端部４０における軸方向と垂直な断面がスリット５０によって複数の部分に分割、すなわち本第一実施形態では２つの部分に分割されて、径方向内側向きに弾性変形可能な先割れ構造を形成する。
【００３１】
挿入部２０の外周面には、径方向に突出して円周方向に環状をなす突起部１００を少なくとも一つ、本第一実施形態では三つ有する。
【００３２】
図１（Ａ）の平面Ｓにおける、ストレッチフィルム巻き掛け操作具１の断面図を図１（Ｂ）に示す。把持部１０には、樹脂量を減らし、成型歪みを避けるためのひずみ回避孔７０を有する。また、手で把持したときに、手掌を痛めないように、端部は丸みを帯びた形状にされている。
【００３３】
把持部１０は、軸方向に延び且つ手指が少なくとも１本入る程度の内径をもつ凹部６０を有しており、凹部６０の内側における軸方向負の向きの開口縁の稜部分には、軸方向負の向きに進むにつれて径方向外側に拡がる傾斜面９０が設けられている。凹部６０には中空部８０が連続して形成されるが、中空部８０の内周面も摩擦による怪我を防ぐ形状とする。すなわち凹部６０は、挿入部２０の内周まで段差無く連続する。傾斜面９０から中空部８０の内周面に連続する面は、滑らかに形成されることが望ましい。
【００３４】
挿入部２０の外周面には、突起部１００が設けられ、後述するように紙管Ｐから挿入部２０が抜け落ちにくいという効果を奏する。
【００３５】
図２（Ａ）は、ストレッチフィルム巻き掛け操作具１の側面図である。ストレッチフィルム巻き掛け操作具１の挿入部２０は、外周面と軸方向正の向きの間の勾配が互いに異なる複数の区画である根元部２５と、本体部３０と先端部４０を、軸方向に並んで有し、複数の区画のうち、先端部４０を含む区画の勾配は、他の区画の勾配よりも小さい。具体的には本体部３０が、勾配の大きな区画を形成し、根元部２５と先端部４０が勾配の小さな区画を形成する。
【００３６】
また挿入部２０には、把持部１０側から先端部４０側に幅の拡がるスリット５０が設けられる。スリットの大きさは、先端部４０の先端開放部分の幅Ｄ１が、例えば略５ｍｍであり、把持部側の幅Ｄ２は、例えば略１ｍｍである。このような形状のスリット５０を設けることで、先端部４０側を指で内側方向に押したときに、より大きく弾性変形可能になり、挿入部２０をストレッチフィルム中空部７に挿入し易くなる効果を奏する。
【００３７】
図２（Ｂ）は、挿入部２０の一部の断面を拡大した図である。挿入部２０は、根元部２５と、本体部３０と、先端部４０を備える。根元部２５は、外周面と軸方向正の向きの間の勾配がゼロ度である。本体部３０は、外周面と軸方向正の向きの間の勾配が正（図２（Ａ）では角度θ）であり、先割れ構造を径方向内側に押圧することで、挿入部２０の外径をストレッチフィルム中空部７の内径よりも小さくすることが可能である。また先割れ構造に対する径方向内側への力を解放すると、挿入部２０の外径がストレッチフィルム中空部７の内径より大きくなろうとすることで、挿入部２０の外周面がストレッチフィルム中空部７の内周面を径方向外向きに押すようになる。すると挿入部２０の外周面とストレッチフィルム中空部７の内周面の間の摩擦力を生じ、ストレッチフィルム５がストレッチフィルム巻き掛け操作具１から抜けにくくする効果を奏する。
【００３８】
先端部４０を含む区画の外周面と軸方向正の向きの間の勾配は、ゼロ度である。このような構造にすることで、先割れ構造を径方向内側に押圧した際に、先端部４０の外周面が軸となす角度が負になるため、先端部４０は、ストレッチフィルム中空部７の内径に比べて小さくなりやすく、挿入部２０を、ストレッチフィルム中空部７に挿入する際に、容易に挿入し易くなるという効果を奏する。挿入部の先端部４０の軸方向の長さは１ｍｍ以上、且つ、２ｃｍ以下が望ましい。
【００３９】
なお、挿入部２０の肉厚は、略２ｍｍであることが望ましい。このような厚みにすると、挿入部２０の外径を手指で押して径方向内側に縮めることで、挿入部２０を、ストレッチフィルム中空部７に挿入することが容易になり、且つ、指による力の解放後、挿入部２０がストレッチフィルム中空部７で径方向外側へ拡がることにより、ストレッチフィルム５から外れにくくなるストレッチフィルム巻き掛け操作具１が実現できるという効果を奏する。
【００４０】
図２（Ｃ）は、挿入部２０のある側とは逆側から、把持部１０を見た背面図である。外縁部５５は、手掌に傷を付けにくいよう丸みを帯びている。把持部１０の内側には、外縁部５５から５ｍｍ程度、把持部１０の厚み方向に肉抜きされた凹部６０を有する。凹部６０には、中空部８０へと繋がる傾斜面９０と、ひずみ回避孔７０が設けられる。凹部６０の内側、すなわち中空部８０へと繋がる内周縁の稜部分には指を傷つけないための傾斜面９０が設けられる。傾斜面９０の径方向外側には、ひずみ回避孔７０が設けられる。図２（Ｂ）では、四つの円弧状の溝を形成するようにひずみ回避孔７０を設けているが、単なる一つの円環状の溝であっても良い。このようなひずみ回避孔７０を設けることで、ストレッチフィルム巻き掛け操作具１を成型するための樹脂量を減らすことが可能になって軽量化の効果を奏し、また成型時の歪みも避けることができる。
【００４１】
次にストレッチフィルム巻き掛け操作具１をどのようにストレッチフィルム巻き掛け操作具１に装着するかを説明する。
【００４２】
図３は、ストレッチフィルム巻き掛け操作具１の挿入部２０を、ストレッチフィルム中空部７に挿入する手順を説明する説明図である。図３（Ａ）は、装着前のストレッチフィルム巻き掛け操作具１と、ストレッチフィルムのロール体Ｒの関係を示す。ストレッチフィルム巻き掛け操作具１の挿入部２０は、把持部１０側から順に、根元部２５と、本体部３０と、先端部４０を有する。本体部３０は、挿入部２０の外周面と軸方向正の向きの間の勾配が正である。そのため挿入部２０の先端部４０における外径は、ストレッチフィルム中空部７にある紙管９の内径よりも大きい。なお先端部４０は、外周面と軸方向正の向きの間の勾配がゼロ度である。挿入部２０は、先端部４０において軸方向と垂直な平面の断面が２つの部分に分割されて、径方向内側向きに弾性変形可能な先割れ構造を持つ。
【００４３】
さて仮に矢印のように、手指等で挿入部２０に力を加えたとする。図３（Ｂ）に、手指等で挿入部２０の先端部４０を径方向内側向きに弾性変形させた状態を図示する。弾性変形後、先端部４０は、外周面と軸方向正の向きの間の勾配が負になるので、先端部４０の外径はストレッチフィルム中空部７の内径よりも小さくなり、挿入部を、ストレッチフィルムの中空部分に挿入する際に、容易に挿入できるという効果を奏する。この状態で、挿入部２０を、矢印向きにストレッチフィルム中空部７に挿入する。
【００４４】
図３（Ｃ）に、挿入部２０をストレッチフィルム中空部７に挿入した後の状態を図示する。挿入部２０の本体部３０と先端部４０は、径方向内側向きに弾性変形させていた力から解放される。すると挿入部２０の外径が、ストレッチフィルム中空部７の内径より大きくなろうとすることで、挿入部２０の外周面がストレッチフィルム中空部７の内周面を径方向外向きに押し、挿入部２０とストレッチフィルム中空部７の間に摩擦力を発生させる。そのためストレットフィルム５がストレッチフィルム巻き掛け操作具１から落下しにくくなるという効果を奏する。
【００４５】
図４は、挿入部に設けられた突起部の作用を説明する説明図である。図４（Ａ）は、挿入部２０が、ストレッチフィルム中空部７に挿入された直後の状態を示す。突起部１００が径方向外向きに飛び出しているので、挿入部２０の外周面の内、主に突起部１００が紙管の内周面１５５に当接することになる。その場合、突起部１００の面積は、挿入部２０の外周面全体より小さいので、摩擦力は突起部１００が無い場合よりも小さくなる。したがって、ストレッチフィルム巻き掛け操作具１を手指で固定したまま、ストレッチフィルムのロール体Ｒを紙管９ごと回転させる作業がやりやすくなるという効果を奏する。
【００４６】
図４（Ｂ）に、挿入部２０がストレッチフィルム中空部７に挿入されて、作業をしばらくした後の状態を示す。仮にストレッチフィルム巻き掛け操作具１を手指で固定したまま、ストレッチフィルムのロール体Ｒを紙管９ごと回転させる動作を繰り返すとする。すると、紙管の内周面１５５のうち突起部１００にあたる部分が押されて、紙管に形成される溝１６０が形成される。すると、ストレッチフィルムのロール体Ｒは、ストレッチフィルム巻き掛け操作具１から外れにくくなり、且つ、挿入部２０と紙管Ｐの間の摩擦力がなるという状態が得られ、さらに作業効率が高まるという顕著な効果を奏する。
【００４７】
図５は、ストレッチフィルム巻き掛け操作具１の使用態様を説明する説明図である。図５（Ａ）のように、ストレッチフィルム巻き掛け操作具１を二つ用意し、ストレッチフィルム中空部７の両端へ矢印方向に差し込み、図５（Ｂ）のように固定する。作業者は、図５（Ｃ）で示すように、ストレッチフィルムのロール体Ｒの両端に固定された把持部１０のそれぞれを手掌で把持し、ストレッチフィルム５を引き延ばすことで、作業対象に対するストレッチフィルム５の巻き掛け動作をおこなう。このとき、把持部１０の外縁部５５は、丸みを帯びているので作業者が怪我をする可能性を低くする効果を奏する。図５（Ｃ）では、手指をストレッチフィルム巻き掛け操作具１の中空部８０に差し込んでいない。しかし、手指を中空部８０に差し込んで、紙管９ごとストレッチフィルムのロール体Ｒを回転させる使用方法をとる場合には、中空部８０の傾斜面９０があるために、作業者の手指を摩擦で痛める可能性を低下させている。
【００４８】
なお図２、図３、図５においては、説明のため突起部１００の図示を省略した。
【００４９】
図６では、本考案に係るストレッチフィルム巻き掛け操作具１の第二実施形態を示す。図６（Ａ）は、ストレッチフィルム巻き掛け操作具１の斜視図である。ストレッチフィルム巻き掛け操作具１は、把持部１０と、挿入部２０からなり、挿入部２０は根元部２５と、本体部３０と、先端部４０を有する。挿入部２０は、ストレッチフィルム中空部７に挿入する向きを、軸方向正の向きとすると、先端部４０における軸方向と垂直な平面の断面が４つの部分に分割されて、径方向内側向きに弾性変形可能な先割れ構造を備える。すなわち、挿入部２０は、４つの押圧片１１０を有し、その間には４つのスリット５０を備える。一つ一つの押圧片１１０が細くなるため、径方向内側に押して先端部４０の外径を小さくするための力が少なくてすむメリットを有する。
【００５０】
図６（Ｂ）では、ストレッチフィルム巻き掛け操作具１を挿入部２０の先端部４０側から見た正面図を示す。挿入部２０は、４つの押圧片１１０を有し、その間には４つのスリット５０を備え、把持部１０から連続して形成される。
【００５１】
なお挿入部２０の先割れ構造について、その分割数、すなわち押圧片１１０の数は、３つでも良く、５つ以上であっても良い。また挿入部２０がスリットを一つだけ備えて、挿入部２０を径方向外側から内側に包むように押し込んだ際に、先端部４０の外径をストレッチフィルム中空部７の内径よりも小さくすることが可能な構造にしても良い。
【００５２】
尚、本考案のストレッチフィルム巻き掛け操作具は、上記した実施の形態に限定されるものではなく、本考案の要旨を逸脱しない範囲内において種々変更を加え得ることは勿論である。
【符号の説明】
【００５３】
１    ストレッチフィルム巻き掛け操作具
５    ストレッチフィルム
７    ストレッチフィルム中空部
９    紙管
１０    把持部
２０    挿入部
２５    根元部
３０    本体部
４０    先端部
５０    スリット
５５    外縁部
６０    凹部
７０    ひずみ回避孔
８０    中空部
９０    面取り部
１００    突起部
１１０    押圧片
１２０    内筒
１３０    外筒
１４０    手掛け用長孔
１５０  内筒の底面
１５５  紙管の内周面
１６０  紙管に形成される溝
Ｒ    ストレッチフィルムのロール体
Ｐ    紙管
【図１】
0003206955.tif 000003
【図２】
0003206955.tif 000004
【図３】
0003206955.tif 000005
【図４】
0003206955.tif 000006
【図５】
0003206955.tif 000007
【図６】
0003206955.tif 000008
【図７】
0003206955.tif 000009